(57)【要約】【課題】使用者の利便性を高めることのできる無線ＬＡＮ情報処理装置を提供する。【解決手段】画像入力手段１１および／または印刷手段１２、並びに移動端末装置と情報通信して無線ＬＡＮを構成する無線送受信部１３を備える無線ＬＡＮ情報処理装置１０において、前記移動端末装置の有するデバイスドライバ情報を取得する情報取得手段１４と、前記デバイスドライバ情報から自機における該デバイスドライバの使用可否を判定する判定手段１５と、前記判定手段による判定結果から自機で使用可能なデバイスドライバ情報を前記移動端末装置へ通知する通知手段１６とを備える。【選択図】図１
2005094567.tif 000002
【特許請求の範囲】
【請求項１】
画像入力手段および／または印刷手段、並びに移動端末装置と情報通信して無線ＬＡＮを構成する無線送受信部を備える無線ＬＡＮ情報処理装置において、
前記移動端末装置の有するデバイスドライバ情報を取得する情報取得手段と、
前記デバイスドライバ情報から自機における該デバイスドライバの使用可否を判定する判定手段と、
前記判定手段による判定結果から自機で使用可能なデバイスドライバ情報を前記移動端末装置へ通知する手段とを備えることを特徴とする無線ＬＡＮ情報処理装置。
【請求項２】
前記判定手段による判定結果から自機で使用可能なデバイスドライバが存在しない場合に、前記移動端末装置へ自機で使用可能なデバイスドライバ情報を通知する手段を備えることを特徴とする請求項１に記載の無線ＬＡＮ情報処理装置。
【請求項３】
前記情報取得手段は、前記移動端末装置からのコマンドを受信した後に、該移動端末装置の有するデバイスドライバ情報を取得することを特徴とする請求項１または請求項２に記載の無線ＬＡＮ情報処理装置。
【請求項４】
自機とネットワークで接続された画像入力手段および／または印刷手段を備える情報処理装置を探索する探索手段と、
前記判定手段による判定結果から自機で使用可能なデバイスドライバが存在しない場合、または前記移動端末装置から他の情報処理装置で処理することを指示するコマンドを受信した場合に、前記探索手段により探索された情報処理装置に前記移動端末装置からのコマンド処理を実行させる手段とを備えることを特徴とする請求項１〜３のいずれか一に記載の無線ＬＡＮ情報処理装置。
【請求項５】
前記探索手段により探索された情報処理装置にコマンド処理を実行させたことを通知する手段を備えることを特徴とする請求項４に記載の無線ＬＡＮ情報処理装置。
【発明の詳細な説明】
【技術分野】
【０００１】
本発明は、移動端末装置と情報通信して無線ＬＡＮを構成し、画像入力装置、印刷装置を備えた無線ＬＡＮ情報処理装置に関するものである。
【背景技術】
【０００２】
様々な分野における情報化の浸透に伴って、データ伝送の高速化及び移動端末装置を自由に持ち歩ける利便性に係わる要求が高まってきている。屋内、例えばオフィスや家庭の無線データ通信技術として、規格IEEE802.11に代表される無線ローカルエリアネットワーク(無線ＬＡＮ、ＷＬＡＮ)が実用化されている。特に規格IEEE802.11では、データ転送レート、セキュリティ関連の改良等が行われ、無線ＬＡＮ装置自体の低価格化とあいまって急速に普及している。
【０００３】
一方、スキャナ等の画像入力装置、或いはプリンタ、FAX等の印刷装置、或いはそれら両方を持つ複合装置は一般的に据え付け型である。移動端末装置の移動の自由度が上がっているにもかかわらず、これらの据え付け型装置を使用する場合、有線ＬＡＮに接続するのが一般的であったが、最近になり、無線ＬＡＮ装置を有する据え付け型装置（無線ＬＡＮ情報処理装置）が徐々に市場に出始めている。
また、ネットワーク通信に関してアクセスポイントは整備されつつあるが、主にインターネットへの接続を目的とするもので据え付け型装置への接続はほとんど考慮されていなかった。
【０００４】
通常、移動端末装置と上記据え付け型装置（情報処理装置）とが１対１で接続されることはほとんど無く、多対１で接続されるのが普通である。また、移動端末装置の置かれる場所は一定でないが、据え付け型装置は通常、部屋或いはフロアの隅に固定的に置かれることが多かった。
【０００５】
図５に従来の据え付け型装置の例として、プリンタ部９１と無線ＬＡＮ装置９２とを備えた無線ＬＡＮ情報処理装置９０を示す。この図では移動端末装置８０と無線ＬＡＮ情報処理装置９０と間が無線ＬＡＮで接続された最小単位の構成を示している。移動端末装置８０と無線ＬＡＮ情報処理装置９０と間では各種情報のやり取りが行われ、例えば移動端末機器８０からのコマンド通知により無線ＬＡＮ情報処理装置９０は所定の情報処理を行う。
【０００６】
また、このような無線ＬＡＮの応用例として、文書データが蓄積されたプリントサーバーから自機あての文書データが存在する旨の通知を受けた携帯機器が無線ＬＡＮを用いて、近くのプリンタを特定して、プリントサーバーに通知し、プリントサーバーから該当文書をそのプリンタに出力させるシステムが開示されている（例えば、特許文献１参照。）。
【０００７】
つぎに、図６に図５の無線ＬＡＮ情報処理装置における移動端末装置８０からのコマンド処理に関する従来の手順を示す。
無線ＬＡＮ情報処理装置９０は、移動端末装置８０と無線ＬＡＮによる通信が開始されると、無線ＬＡＮ情報処理装置９０内のコマンド処理に関する初期化、セットアップが行われ（Ｓ９１）、移動端末装置８０からのコマンド待ちの状態となる（Ｓ９２）。
ついで、移動端末装置８０から無線ＬＡＮ情報処理装置９０に対して各種コマンドが発行されると（Ｓ９３）、そのコマンドが処理可能であれば、無線ＬＡＮ情報処理装置９０は指定された処理を実行し、コマンドが処理できない場合にはその旨（エラー）を移動端末装置８０に対して通知し、終了する（Ｓ９４）。
【０００８】
【特許文献１】特開２００１−３２５１８２号公報
【発明の開示】
【発明が解決しようとする課題】
【０００９】
しかしながら、従来の無線ＬＡＮ情報処理装置は移動端末装置の発行するコマンドが処理できなければ、それを一方的に通知して終了してしまうため、使用者にとっては利便性が低いという問題があった。また、近くの無線ＬＡＮ情報処理装置が使用可能かどうかは、実際にコマンドを発行してみないとわからないという問題もあった。
【００１０】
本発明は、以上の従来技術における問題に鑑みてなされたものであり、使用者の利便性を高めることのできる無線ＬＡＮ情報処理装置を提供することを目的とする。
【課題を解決するための手段】
【００１１】
前記課題を解決するために提供する請求項１の発明に係る無線ＬＡＮ情報処理装置は、画像入力手段および／または印刷手段、並びに移動端末装置と情報通信して無線ＬＡＮを構成する無線送受信部を備える無線ＬＡＮ情報処理装置において、前記移動端末装置の有するデバイスドライバ情報を取得する情報取得手段と、前記デバイスドライバ情報から自機における該デバイスドライバの使用可否を判定する判定手段と、前記判定手段による判定結果から自機で使用可能なデバイスドライバ情報を前記移動端末装置へ通知する手段とを備えることを特徴とする。
【００１２】
前記課題を解決するために提供する請求項２の発明に係る無線ＬＡＮ情報処理装置は、請求項１の発明において、前記判定手段による判定結果から自機で使用可能なデバイスドライバが存在しない場合に、前記移動端末装置へ自機で使用可能なデバイスドライバ情報を通知する手段を備えることを特徴とする。
【００１３】
前記課題を解決するために提供する請求項３の発明に係る無線ＬＡＮ情報処理装置は、請求項１または請求項２の発明において、前記情報取得手段は、前記移動端末装置からのコマンドを受信した後に、該移動端末装置の有するデバイスドライバ情報を取得することを特徴とする。
【００１４】
前記課題を解決するために提供する請求項４の発明に係る無線ＬＡＮ情報処理装置は、請求項１〜３の発明において、自機とネットワークで接続された画像入力手段および／または印刷手段を備える情報処理装置を探索する探索手段と、前記判定手段による判定結果から自機で使用可能なデバイスドライバが存在しない場合、または前記移動端末装置から他の情報処理装置で処理することを指示するコマンドを受信した場合に、前記探索手段により探索された情報処理装置に前記移動端末装置からのコマンド処理を実行させる手段とを備えることを特徴とする。
【００１５】
前記課題を解決するために提供する請求項５の発明に係る無線ＬＡＮ情報処理装置は、請求項４の発明において、前記探索手段により探索された情報処理装置にコマンド処理を実行させたことを通知する手段を備えることを特徴とする。
【発明の効果】
【００１６】
本発明の効果として、請求項１の発明によれば、移動端末装置と無線ＬＡＮ情報処理装置との間で送受信が開始された直後、無線ＬＡＮ情報処理装置が移動端末装置に対し、使用可能な状態にあるかどうかを実際にコマンドのやりとりが始まる前に予め通知することで、使用者の利便性を高めることができる。
請求項２の発明によれば、移動端末装置と無線ＬＡＮ情報処理装置の間で送受信が開始された直後、無線ＬＡＮ情報処理装置が移動端末装置に対し、使用可能な状態にあるかどうかを実際にコマンドのやりとりが始まる前に予め判断し、不可能であれば、必要な追加情報を移動端末装置に通知することで、使用者の利便性を高めることができる。
請求項３の発明によれば、実際にコマンドのやりとりが開始された後、無線ＬＡＮ情報処理装置はコマンド処理に先立ち、使用可能な状態にあるかどうかを判断し、不可能であれば、必要な追加情報を移動端末装置に通知することで、不要な通信を省くことができ、使用者の利便性を高めることができる。
請求項４の発明によれば、移動端末装置と無線ＬＡＮ情報処理装置の間で送受信が開始された直後、無線ＬＡＮ情報処理装置が移動端末装置に対し、使用可能な状態にあるかどうかを実際にコマンドのやりとりが始まる前に予め判断し、使用できないのであれば、通信可能は他の無線ＬＡＮ情報処理装置を探知してそちらで処理することで、使用者の利便性を高めることができる。
請求項５の発明によれば、移動端末装置と無線ＬＡＮ情報処理装置の間で送受信が開始された直後、無線ＬＡＮ情報処理装置が移動端末装置に対し、使用可能な状態にあるかどうかを実際にコマンドのやりとりが始まる前に予め判断し、使用できないのであれば、通信可能は他の無線ＬＡＮ情報処理装置を探知してそちらで処理し、更に、その旨と他の必要な情報を移動端末装置に通知することで、使用者の利便性を高めることができる。
【発明を実施するための最良の形態】
【００１７】
以下に、本発明に係る無線ＬＡＮ情報処理装置の第１の実施の形態について説明する。
図１は、第１の実施の形態における無線ＬＡＮ情報処理装置のブロック図である。無線ＬＡＮ情報処理装置１０は、画像入力手段１１および／または印刷手段１２と、移動端末装置と情報通信して無線ＬＡＮを構成する無線送受信部１３と、前記移動端末装置の有するデバイスドライバ情報を取得する情報取得手段１４と、前記デバイスドライバ情報から自機における該デバイスドライバの使用可否を判定する判定手段１５と、前記判定手段による判定結果から自機で使用可能なデバイスドライバ情報を前記移動端末装置へ通知する手段１６とを備える。
【００１８】
図２は、第１の実施の形態における移動端末装置との通信開始後の無線ＬＡＮ情報処理装置１０の情報処理のフローチャートである。ここでは次の手順で処理が実行される。
（Ｓ１１）無線ＬＡＮ情報処理装置１０内のコマンド処理に関する初期化、セットアップが行われる。
（Ｓ１２）情報取得手段１４が移動端末装置の有するデバイスドライバ情報を取得し、ついで判定手段１５が取得されたデバイスドライバ情報から自機における該デバイスドライバの使用可否を判定し、通知手段１６が判定手段による判定結果から自機で使用可能なデバイスドライバ情報を前記移動端末装置へ通知する。
（Ｓ１３）移動端末装置からのコマンド待ちの状態となる。
（Ｓ１４）ステップＳ１２で通知されたデバイスドライバ情報に基づいて発行された移動端末装置からのコマンドにより指定された処理を実行する。例えば、画像入力手段１１により取りこまれた画像データの印刷手段１２による印刷出力である。
【００１９】
このように、無線ＬＡＮ情報処理装置と移動端末装置との通信が開始された直後、据え付け型装置を使用する、しないに係らず、端末装置に対して使用可能かどうかを通知する。これにより、使用者の利便性を高める。
【００２０】
次に、本発明に係る無線ＬＡＮ情報処理装置の第２の実施の形態について説明する。
第２の実施の形態における無線ＬＡＮ情報処理装置は、第１の実施の形態の装置構成に加えて、前記判定手段による判定結果から自機で使用可能なデバイスドライバが存在しない場合に、前記移動端末装置へ自機で使用可能なデバイスドライバ情報を通知する手段を備える。
【００２１】
図３は、第２の実施の形態における移動端末装置との通信開始後の無線ＬＡＮ情報処理装置の情報処理のフローチャートである。ここでは次の手順で処理が実行される。
（Ｓ２１）情報取得手段が移動端末装置の有するデバイスドライバ情報を取得する。
（Ｓ２２）判定手段が取得されたデバイスドライバ情報から自機における該デバイスドライバの使用可否を判定する。
（Ｓ２３）判定手段による判定結果として、自機で使用可能なデバイスドライバが存在しない場合に、前記移動端末装置へ自機で使用可能なデバイスドライバ情報を通知する。また、自機で使用可能なデバイスドライバが存在する場合にはそのデバイスドライバ情報を前記移動端末装置へ通知する。
（Ｓ２４）移動端末装置からのコマンド待ちの状態となり、以降第１の実施の形態と同様の処理が行われる。
【００２２】
このように、無線ＬＡＮ情報処理装置と移動端末装置との通信が開始された直後、まず無線ＬＡＮ情報処理装置が移動端末装置の情報(デバイスドライバ)を収集し、使用不可能であれば、移動端末装置に対して、必要な追加情報を通知する。使用可能であれば、その旨を通知する。これにより、使用者の利便性を高めることができる。
【００２３】
また、上記装置構成に加えて、情報取得手段が、前記移動端末装置からのコマンドを受信した後に、該移動端末装置の有するデバイスドライバ情報を取得するようにしてもよい。これにより、情報収集のための通信を、実際にコマンドのやりとりが開始された後に行うようにすることで、不要なトラフィックを減らし、使用者の利便性をさらに高めることができる。
【００２４】
次に、本発明に係る無線ＬＡＮ情報処理装置の第３の実施の形態について説明する。
第３の実施の形態における無線ＬＡＮ情報処理装置は、第２の実施の形態の装置構成に加えて、アクセスポイントを有し、自機とネットワークで接続された画像入力手段および／または印刷手段を備える情報処理装置を探索する探索手段と、前記判定手段による判定結果から自機で使用可能なデバイスドライバが存在しない場合、または前記移動端末装置から他の情報処理装置で処理することを指示するコマンドを受信した場合に、前記探索手段により探索された情報処理装置に前記移動端末装置からのコマンド処理を実行させる手段とを備える。
【００２５】
図４は、第３の実施の形態における移動端末装置との通信開始後の無線ＬＡＮ情報処理装置の情報処理のフローチャートである。ここでは次の手順で処理が実行される。
（Ｓ３１）情報取得手段が移動端末装置の有するデバイスドライバ情報を取得する。
（Ｓ３２）判定手段が取得されたデバイスドライバ情報から自機における該デバイスドライバの使用可否を判定する。
（Ｓ３３）判定手段による判定結果として、自機で使用可能なデバイスドライバが存在しない場合に、探索手段がネットワーク上の情報処理装置を探索し、使用可能なデイバスドライバを有する情報処理装置を特定する。また、自機で使用可能なデバイスドライバが存在する場合にはそのデバイスドライバ情報を前記移動端末装置へ通知する。
（Ｓ３４）移動端末装置からのコマンド待ちの状態となる。
【００２６】
ここで、移動端末装置からコマンドが発行されると、自機で使用可能なデバイスドライバが存在しない場合にはネットワーク上のステップＳ３３で特定された他の情報処理装置に指定された処理を実行させる。なお、移動端末装置からのコマンドが他の情報処理装置で処理することを指示するコマンドを受信した場合にも同様の処理が実行される。
また、自機で使用可能なデバイスドライバが存在する場合には移動端末装置からのコマンドにより指定された処理を自機で実行する。
【００２７】
このように、無線ＬＡＮ情報処理装置と移動端末装置との通信が開始された直後、まず無線ＬＡＮ情報処理装置が移動端末装置の情報(デバイスドライバ)を収集し、使用不可能であれば、無線ＬＡＮ装置と通信可能な他の情報処理装置を検索し、使用可能であれば、そちらの情報処理装置で処理させるようにする。また、自機で使用可能であれば、その旨を通知する。これにより、使用者の利便性を高めることができる。
【００２８】
また、上記装置構成に加えて、前記探索手段により探索された情報処理装置にコマンド処理を実行させたことを通知する手段を備えるようにしてもよい。これにより、他の情報処理装置で処理した場合はその旨を移動端末装置に通知することで、使用者の利便性をさらに高めることができる。また、必要であれば、例えば、他の情報処理装置が遠方にある場合などには、そのフロア図等を含めて移動端末装置に通知するようにしてもよい。
【図面の簡単な説明】
【００２９】
【図１】本発明に係る無線ＬＡＮ情報処理装置の第１の実施の形態におけるブロック図である。
【図２】本発明に係る無線ＬＡＮ情報処理装置の第１の実施の形態における移動端末装置との通信開始後の情報処理のフローチャートである。
【図３】本発明に係る無線ＬＡＮ情報処理装置の第２の実施の形態における移動端末装置との通信開始後の情報処理のフローチャートである。
【図４】本発明に係る無線ＬＡＮ情報処理装置の第３の実施の形態における移動端末装置との通信開始後の情報処理のフローチャートである。
【図５】無線ＬＡＮ情報処理装置の従来の構成を示す概略図である。
【図６】従来の無線ＬＡＮ情報処理装置の移動端末装置との通信開始後の情報処理のフローチャートである。
【符号の説明】
【００３０】
１０    無線ＬＡＮ情報処理装置
１１    画像入力手段
１２    印刷手段
１３    無線送受信部
１４    情報取得手段
１５    判定手段
１６    通知手段
８０    移動端末装置
９０    無線ＬＡＮ情報処理装置
９１    プリンタ部
９２    無線ＬＡＮ装置
【図１】
2005094567.tif 000003
【図２】
2005094567.tif 000004
【図３】
2005094567.tif 000005
【図４】
2005094567.tif 000006
【図５】
2005094567.tif 000007
【図６】
2005094567.tif 000008